(57)【要約】【課題】  本発明は、携帯性に優れるとともに、使用および収納が非常に容易なブーツスタンドの提供を課題とする。【解決手段】  ブーツ２を直立状態に支持するブーツスタンド１であって、ブーツ２の胴筒内面２ａを支持する複数の中空の筒状体１ａ〜１ｅからなり、各筒状体１ｂ〜１ｅが隣接する筒状体１ａ〜１ｄに対して挿入および突出が可能な状態で連結されることによって長手方向に沿って伸縮可能に構成されている。使用時においては、各筒状体１ｂ〜１ｅを突出させることにより全体を伸長させ、それをブーツ２の胴筒２ａ内にそのまま挿入するだけでブーツ２を直立状態に安定良く支持することができる。また、収納時においては、各筒状体１ｂ〜１ｅを挿入させることにより全体を収縮させるだけで容易に収納することができる。【選択図】      図１
2006230878.tif 000002
【特許請求の範囲】
【請求項１】
ブーツを直立状態に支持するブーツスタンドであって、
ブーツの胴筒内面を支持する複数の中空の筒状体からなり、各筒状体が隣接する筒状体に対して挿入および突出が可能な状態で連結されることによって長手方向に沿って伸縮可能に構成されていることを特徴とするブーツスタンド。
【請求項２】
前記各筒状体は、伸長時においてブーツの胴筒内面に沿うような形状に形成されている請求項１に記載のブーツスタンド。
【請求項３】
前記筒状体の内部に活性炭等の脱臭剤が設けられる請求項１または請求項２に記載のブーツスタンド。
【請求項４】
前記筒状体の周面に複数の通気孔が穿設されている請求項１ないし請求項３のいずれかに記載のブーツスタンド。
【請求項５】
収縮時において最外側に位置する筒状体の開口部を閉蓋する蓋部材が設けられている請求項１ないし請求項４のいずれかに記載のブーツスタンド。
【請求項６】
前記蓋部材には通気孔が穿設されている請求項５に記載のブーツスタンド。
【請求項７】
前記蓋部材には、対となる他方のブーツスタンドに設けられた蓋部材と連結するための連結部材が設けられている請求項５または請求項６に記載のブーツスタンド。  
【請求項８】
筒状体の上端周縁部に突起部が設けられるとともに、筒状体の下端周縁部に凹み部が設けられ、伸長時に筒状体の突起部が上方に隣接する筒状体の凹み部に嵌まるものとなされている請求項１ないし請求項７のいずれかに記載のブーツスタンド。
【請求項９】
前記筒状体の周面に模様が付されている請求項１ないし請求項８のいずれかに記載のブーツスタンド。
【発明の詳細な説明】
【技術分野】
【０００１】
本発明は、ブーツを直立状態に支持する携帯可能なブーツスタンドに関するものである。
【背景技術】
【０００２】
近年、女性の間において、その目的や用途に応じて種々のブーツが流行している。例えば、丈の短いショートブーツ、一般的な丈の長さのミドルブーツやロングブーツ、膝上まで丈があるオーバーニーブーツ、あるいは外側に毛皮加工が施されたエスキモーブーツなど多種多様なブーツがある。
【０００３】
これらのブーツについて難点とされているのが、不使用時のブーツの保管方法である。すなわち、ブーツの不使用時においては何ら支持するものがないため、ブーツの胴筒が折れ曲がることにより型崩れが生じたり、また床面に接することにより汚れたり、さらには折れ曲がった外観が悪いという様々な難点があった。
【０００４】
この難点を解消するために、ブーツを直立状態に支持する種々のブーツスタンドが知られているが（特許文献１、２参照）、いずれも携帯用に構成されておらず、外出先などで使用することができなかった。
【０００５】
そこで、最近では携帯可能なブーツスタンドも発案されており、次に示すようなものがある。このブーツスタンドは、ブーツのソールが載置される基台部材と、その基台部材からブーツのはき口側に向かって立設される立設部材と、その立設部材の先端に設けられたブーツのはき口を挟持する挟持部材とから構成されている。基台部材および立設部材は、その長手方向長さを伸縮可能に構成され、また、立設部材は基台部材側に向かって揺動可能に構成されている（特許文献３参照）。
【特許文献１】実開平７−１３２７０号
【特許文献２】実用新案登録第３０３７９１３号
【特許文献３】特開２００３−２３５６１０号
【発明の開示】
【発明が解決しようとする課題】
【０００６】
しかしながら、上記ブーツスタンドでは、構成が複雑なために以下のような問題があった。すなわち、ブーツスタンドを折り畳むに際しては、基台部材を長手方向に短縮させるとともに、立設部材を長手方向に短縮させ、さらに立設部材を基台部材側へ向かって揺動させるというように、複数のステップを経なければ折り畳むことができなかった。また、上記ブーツスタンドを使用するに際しては、上述とは逆の複数のステップを経て組み立てたあと、脱いだブーツの底を基台上に載置した上で、立設部材の長さを調節しながら挟持部材によりブーツのはき口を挟持するというように、複数のステップを経なければ使用することができなかった。このためブーツスタンドの折り畳みおよび使用のいずれにおいてもその労力が大きく、特にブーツの主な利用者である女性にとっては非常に面倒であるという問題があった。しかも、構成が複雑な分だけ製造コストも上がるという問題もあった。
【０００７】
また、上記ブーツスタンドの使用に際しては、脱いだブーツの底を基台上に載置することから、ブーツの底が床面に接して基台部分が汚れるため、素手でブーツスタンドを折り畳みにくく、また折り畳んだものをカバンに収納しにくいという問題があった。特に女性にとっては、外観上汚れていなかったとしても、ブーツの底や床面に接した部分を素手で触れることは非常に抵抗がある場合が多い。
【０００８】
さらに、上記ブーツスタンドはブーツの外部に完全に露出するものであるため、外観上の意匠性も悪いという問題があった。特に女性にとっては、自宅内で使用する分には良いとしても、飲食店、宿泊施設、あるいは他人のお宅などの外出先では使用しにくかった。
【０００９】
さらにまた、上記ブーツスタンドは、挟持部材によりブーツのはき口を挟持するため、ブーツのはき口を傷つけるという問題があった。特に最近では外面に毛皮加工が施されたり、レザーにより製造されたものなどが多数存在しており、その問題は無視できないものである。
【００１０】
本発明は、上述の問題に鑑みてなされたものであって、携帯性に優れるとともに、使用および収納が非常に容易なブーツスタンドの提供を課題とする。
【課題を解決するための手段】
【００１１】
本発明は、上記課題を解決するために、ブーツを直立状態に支持するブーツスタンドであって、ブーツの胴筒内面を支持する複数の中空の筒状体からなり、各筒状体が隣接する筒状体に対して挿入および突出が可能な状態で連結されることによって長手方向に沿って伸縮可能に構成されていることを特徴とする。
【００１２】
これによれば、ブーツスタンドの使用時においては、各筒状体を突出させることにより全体を伸長させ、それをブーツの胴筒内にそのまま挿入するだけでブーツを直立状態に安定良く支持することができる。また、ブーツスタンドの収納時においては、各筒状体を挿入させることにより全体を収縮させるだけで容易に収納することができる。
【００１３】
また、前記各筒状体は、伸長時においてブーツの胴筒内面に沿うような形状に形成されているのが好ましい。これによれば、使用時においてブーツスタンドがブーツの胴筒内面に沿うため、より一層安定よくブーツを直立状態に支持することができる。
【００１４】
また、前記筒状体の内部に活性炭等の脱臭剤が設けられるのが好ましい。これによれば、使用時において脱臭剤によりブーツ内を脱臭することができる。また不使用時においても収縮したブーツスタンドを下駄箱内に収納すれば、脱臭剤により下駄箱内を脱臭することができる。
【００１５】
また、前記筒状体の周面に複数の通気孔が穿設されているのが好ましい。これによれば、ブーツスタンド内外で通気することができるとともに、ブーツスタンドの周面がブーツの胴筒内面に密着することを防止できる。特に筒状体内に脱臭剤が設けられている場合は通気により脱臭効果を高めることができる。
【００１６】
また、収縮時において最外側に位置する筒状体の開口部を閉蓋する蓋部材が設けられているのが好ましい。これによれば、収縮させたブーツスタンドをカバン等に収納した場合、ブーツスタンドが傾いて自然に伸長することを防止できる。
【００１７】
また、前記蓋部材には通気孔が穿設されているのが好ましい。これによれば、ブーツスタンド内外で通気することができ、特に筒状体内に脱臭剤が設けられている場合は通気により脱臭効果を高めることができる。
【００１８】
また、前記蓋部材には、対となる他方のブーツスタンドに設けられた蓋部材と連結するための連結部材が設けられているものとしてもよい。これによれば、一足のブーツの胴筒にそれぞれブーツスタンドを挿入し、両蓋部材の連結部材を互いに連結させることによって、ブーツの直立状態の安定性がより一層向上する。
【００１９】
筒状体の上端周縁部に突起部が設けられるとともに、筒状体の下端周縁部に凹み部が設けられ、伸長時に筒状体の突起部が上方に隣接する筒状体の凹み部に嵌まるものとなされていてもよい。これによれば、伸長時において各筒状体同士が固定されるので、ブーツスタンドの伸長状態を保持しやすくなる。
【００２０】
また、前記筒状体の周面に模様が付されていてもよい。これによれば、ブーツスタンドの外観上の意匠性はより向上する。
【発明の効果】
【００２１】
本発明によれば、ブーツスタンドの使用および収納が非常に容易となり、特にブーツの主な利用者である女性にとっては非常に便利である。
【００２２】
また、ブーツスタンドの収縮時には最外側の筒状体のサイズとなり、しかも各筒状体は中空であり全体として軽量であるため、女性でも手軽に携帯することができる。
【００２３】
また、ブーツスタンドの複数の中空の筒状体が連結されただけのものであるので、構成が非常に簡素化され、製造コストを低減させることができる。
【００２４】
また、ブーツスタンドの収納時はもとより、使用時においてもブーツの外底や床面に直接接することがないため衛生的である。
【００２５】
また、使用時にはブーツスタンドはブーツの胴筒内に挿入されるため、ブーツの外観上の意匠性を損ねることがなく、外出先でもブーツスタンドを気兼ねなく使用することができる。
【００２６】
また、使用時にはブーツスタンドはブーツの胴筒内に挿入されるだけなので、ブーツの外側および内側のいずれも傷付けることがなく、外面に毛皮加工が施されたブーツやレザーにより製造されたブーツなどのあらゆるブーツに使用することができる。
【００２７】
以上より、本ブーツスタンドは一般の販売はもとより、ホテルや旅館等におけるアメニティとして利用することが可能である。
【発明を実施するための最良の形態】
【００２８】
次に本発明の一実施形態について説明する。
【００２９】
図１は、本発明の一実施形態に係るブーツスタンド（１）を示す図であり、（ａ）は伸長時のブーツスタンド（１）の正面図、（ｂ）は該ブーツスタンド（１）の側面図である。
【００３０】
前記ブーツスタンド（１）は、ブーツ（２）の胴筒（２ａ）の内面を支持する５個の中空の筒状体からなり、長手方向に沿って伸縮可能に構成されている。すなわち、このブーツスタンド（１）は、伸長時に最上部に配置される第１の筒状体（１ａ）と、該第１の筒状体（１ａ）に連結される第２の筒状体（１ｂ）と、該第２の筒状体（１ｂ）に連結される第３の筒状体（１ｃ）と、該第３の筒状体（１ｃ）の連結される第４の筒状体（１ｄ）と、該第４の筒状体（１ｄ）に連結され且つ伸長時に最下部に配置される第５の筒状体（１ｅ）との合計５個の筒状体からなる。
【００３１】
各筒状体（１ａ）〜（１ｅ）は、いずれも平面視略楕円形状の中空の筒状体であり、第１の筒状体（１ａ）から第５の筒状体（１ｅ）にかけて順に容積が小さくなるように形成されている。また、各筒状体（１ａ）〜（１ｅ）は、上端部の長径がＴｎ（ｎ＝ａ、ｂ、ｃ、ｄ、ｅ）、下端部の長径がｔｎ（ｎ＝ａ、ｂ、ｃ、ｄ、ｅ）であり、上端部の長径Ｔｎは下端部の長径ｔｎより大きくなるように形成されている。
【００３２】
また、第２〜第５の筒状体（１ｂ）〜（１ｅ）は、上方に隣接する第１〜第４の筒状体（１ａ）〜（１ｄ）の内部に挿入および突出が可能な状態で連結されている。すなわち、第２〜第５の筒状体（１ｂ）〜（１ｅ）は、それぞれ上方に隣接する筒状体よりも容積がやや小さく形成されており、上方に隣接する筒状体の下端部から長手方向に挿入または突出し得るものとなされている。
【００３３】
また、第２〜第５の筒状体（１ｂ）〜（１ｅ）は、いずれも上端部の長径Ｔｎが上方に隣接する筒状体の下端部の長径ｔｎ−１よりも大きく形成されており、上方の筒状体から下方に最も突出した状態においてその上端部が上方の筒状体の下端部に引っかかり、上方の筒状体から離脱しないように連結されている。例えば、図２に示すように、第３の筒状体（１ｃ）は、上端部の長径Ｔ３が上方に隣接する第２の筒状体（１ｂ）の下端部の長径ｔ２よりも大きく形成されており、上方の第２の筒状体から下方に最も突出した状態においてその上端部が上方の第２の筒状体（１ｂ）の下端部に引っかかり、上方の第２の筒状体（１ｂ）から離脱しないように連結されている。その他の第２、第４、第５の筒状体（１ｂ）（１ｄ）（１ｅ）についても同様である。
【００３４】
また、各筒状体（１ａ）〜（１ｅ）は、いずれもブーツ（２）の胴筒（２ａ）の内面のすね部分に対応する正面部（図１（ｂ）の左側部分）が鉛直に形成されるとともに、ブーツ（２）の胴筒（２ａ）の内面のふくらはぎ部分に対応する背面部（図１（ｂ）の右側部分）が下方に向かって徐々に小径になるテーパ状に形成されている。これにより、ブーツスタンド（１）の伸長時において、各筒状体（１ａ）〜（１ｅ）の正面部からなるラインがブーツ（２）の胴筒（２ａ）の内面のすね部分に沿うとともに、各筒状体（１ａ）〜（１ｅ）の背面部からなるラインがブーツ（２）の胴筒（２ａ）の内面のふくらはぎ部分に沿い、全体としてブーツ（２）の胴筒（２ａ）の内面に沿うこととなるため、一層安定よくブーツを直立状態に支持することができる。
【００３５】
次に上記ブーツスタンド（１）の収納方法について図４および図５を参照して説明する。図４は、ブーツスタンド（１）の収縮する方法を示す図である。図５は、ブーツスタンド（１）の収縮時の状態を示した図であり、（ａ）は収縮時のブーツスタンド（１）の斜視図、（ｂ）は収縮時のブーツスタンド（１）の側方断面図である。
【００３６】
ブーツスタンド（１）を収納するに際しては、図４に示すように、最上部の第１の筒状体（１ａ）を一方の片手で把持するとともに、最下部の第５の筒状体（１ｅ）を他方の片手で把持した状態において、最上部の第１筒状体（１ａ）と最下部の第５の筒状体（１ｅ）を接近させるようにブーツスタンド（１）の長手方向に力を加える。すると、第２〜第５の筒状体（１ｂ）〜（１ｅ）が上方に隣接する筒状体（１ａ）〜（１ｄ）に順に挿入していき、最後には図５に示すように第２〜第５の筒状体（１ａ）〜（１ｅ）のすべてが最上部の第１の筒状体（１ａ）内に挿入されるので、第１の筒状体（１ａ）のサイズまでブーツスタンド（１）を容易に収縮させることができる。あとは、その収縮したブーツスタンド（１）をカバンに入れて携帯したり、あるいは下駄箱の隅に載置するなどして収納する。
【００３７】
次に上記ブーツスタンド（１）の使用方法について図３を参照して説明する。図３は、ブーツスタンド（１）をブーツ（２）に挿入した状態を示す図である。
【００３８】
ブーツスタンド（１）を使用するに際しては、収縮された最外側の第１の筒状体（１ａ）を一方の片手で保持した状態で、第１の筒状体（１ａ）の幅小の開口部を下方に向けつつ他方の片手で第２〜第５の筒状体（１ｂ）〜（１ｅ）を支承しながら自重により順に突出させ、ブーツ（２）の胴筒（２ａ）の長さ程度までブーツスタンド（１）を伸長させる。あとは、伸長したブーツスタンド（１）をそのままブーツ（２）の胴筒（２ａ）内に挿入すれば、ブーツスタンド（１）の各筒状体（１ａ）〜（１ｅ）がブーツ（２）の胴筒（２ａ）の内面に接して、ブーツ（２）を直立状態に安定良く支持することができる。
【００３９】
このように、ブーツスタンド（１）の使用および収納が非常に容易となり、特にブーツ（２）の主な利用者である女性にとっては非常に便利である。また、ブーツスタンド（１）の収縮時には最外側の筒状体（１ａ）のサイズとなり、しかも各筒状体（１ａ）〜（１ｅ）は中空であり全体として軽量であるため、女性でも手軽に携帯することができる。また、ブーツスタンド（１）の複数の中空の筒状体（１ａ）〜（１ｅ）が連結されただけのものであるので、構成が非常に簡素化され、製造コストを低減させることができる。また、ブーツスタンド（１）の収納時はもとより、使用時においてもブーツ（２）の外底や床面に直接接することがないため衛生的である。また、使用時にはブーツスタンド（１）はブーツ（２）の胴筒（２ａ）内に挿入されるため、ブーツ（２）の外観上の意匠性を損ねることがなく、外出先でもブーツスタンド（１）を気兼ねなく使用することができる。また、使用時にはブーツスタンド（１）はブーツ（２）の胴筒（２ａ）内に挿入されるだけなので、ブーツ（２）の外側および内側のいずれも傷付けることがなく、外面に毛皮加工が施されたブーツやレザーにより製造されたブーツなどのあらゆるブーツに使用することができる。以上より、本ブーツスタンド（１）は一般の販売はもとより、ホテルや旅館等におけるアメニティとして利用することが可能である。
【００４０】
なお、本実施形態では、筒状体の個数を５個としたが、その他の複数個であってもよい。
【００４１】
また、筒状体の形状を平面視略楕円形としたが、これに限定されるものでなく、円形などその他の形状であってもよい。
【００４２】
また、すべての筒状体がブーツ（２）の胴筒（２ａ）の内面を接する必要がなく、少なくとも一つの筒状体がブーツ（２）の胴筒（２ａ）の内面に接することにより筒状体全体でブーツ（２）の胴筒（２ａ）の内面を支持するものであればよい。
【００４３】
また、前記筒状体は、伸長した場合にブーツ（２）の胴筒（２ａ）の内面に沿うような形状に形成したが、これに限定されるものではなく、全周面が同じ傾斜角度のテーパ状に形成されたり、あるいは全周面が鉛直に形成されるものなどであってもよい。
【００４４】
また、伸長時に最下部に位置する筒状体（本実施形態では第５の筒状体（１ｅ））は下側開口部に孔なしまたは孔あきの底が設けられても良い。
【００４５】
また、ブーツスタンド（１）の内部に活性炭等の脱臭剤が設けられるものとしてもよい。これによれば、使用時において脱臭剤によりブーツ（２）内を脱臭することができる。また不使用時においても収縮したブーツスタンド（１）を下駄箱内に収納すれば、脱臭剤により下駄箱内を脱臭することができる。
【００４６】
また、図６に示すように、ブーツスタンド（１）の筒状体（１ａ）〜（１ｅ）の周面に複数の通気孔（３）が穿設されてもよい。これによれば、ブーツスタンド（１）内外で通気することができるとともに、ブーツスタンド（１）の周面がブーツの胴筒内面に密着することを防止できる。特に筒状体内に脱臭剤が設けられている場合は通気により脱臭効果を高めることができる。
【００４７】
また、図７に示すように、収縮時において最外側に位置する筒状体（１ａ）の開口部を閉蓋する蓋部材（８）（８）が設けられてもよい。これによれば、収縮させたブーツスタンド（１）をカバン等に収納した場合、ブーツスタンド（１）が傾いて自然に伸長することを防止できる。なお、この蓋部材にも通気孔が穿設されているのが好ましい。
【００４８】
また、前記蓋部材（８）には、対となる他方のブーツスタンド（１）に設けられた蓋部材（８）と連結するための連結部材（９）が設けられてもよい。この連結部材（９）としては、例えば図８に示すように、チェーン（９ａ）とクリップ部材（９ｂ）からなり、両クリップ部材（９ｂ）（９ｂ）を互いに連結する方法がある。これによれば、一足のブーツ（２）（２）の胴筒にそれぞれブーツスタンド（１）（１）を挿入し、両蓋部材（８）（８）の連結部材（９）（９）を互いに連結させることによって、ブーツ（２）の直立状態の安定性がより一層向上する。
【００４９】
また、各筒状体の連結方法は、互いの径の違いにより連結するものとしたが、これに限定されるものではない。例えば、図９に示すように、筒状体の上端周縁部に突起部（１０）を設けるとともに、筒状体の下端周縁部に凹み部（１１）を設け、伸長時に各突起部（１０）が上方に隣接する筒状体の凹み部（１１）に嵌まるような連結方法であってもよい。これによれば、伸長時において各筒状体同士が固定されるので、ブーツスタンド（１）の伸長状態を保持しやすくなる。
【００５０】
また、各筒状体の周面に何らかの模様が付されるものであってもよい。例えば、ブーツスタンド（１）の伸長時において各筒状体の周面に付された模様が一連の模様となるようにすればブーツスタンドの外観上の意匠性はより向上する。
【産業上の利用可能性】
【００５１】
一般に販売されることはもとより、ホテルや旅館などのアメニティとして利用されるグッズとして適用可能である。
【図面の簡単な説明】
【００５２】
【図１】本発明の一実施形態に係るブーツスタンドを示す（ａ）正面図と（ｂ）側面図である。
【図２】図１のブーツスタンドのＩ部の拡大断面図である。
【図３】ブーツスタンドの使用時の状態を示す斜視図である。
【図４】ブーツスタンドを収縮する方法を示す図である。
【図５】収縮時のブーツスタンドを示す（ａ）斜視図と（ｂ）側方断面図である。
【図６】第２の実施形態に係るブーツスタンドを示す側面図である。
【図７】第３の実施形態に係るブーツスタンドを示す斜視図である。
【図８】第４の実施形態に係るブーツスタンドを示す背面図である。
【図９】第５の実施形態に係るブーツスタンドを示す拡大断面図である。
【符号の説明】
【００５３】
１・・・ブーツスタンド
１ａ・・・第１の筒状体
１ｂ・・・第２の筒状体
１ｃ・・・第３の筒状体
１ｄ・・・第４の筒状体
１ｅ・・・第５の筒状体
２・・・ブーツ
２ａ・・・ブーツの胴筒
【図１】
2006230878.tif 000003
【図２】
2006230878.tif 000004
【図３】
2006230878.tif 000005
【図４】
2006230878.tif 000006
【図５】
2006230878.tif 000007
【図６】
2006230878.tif 000008
【図７】
2006230878.tif 000009
【図８】
2006230878.tif 000010
【図９】
2006230878.tif 000011